(57)【要約】【課題】充填した内容物の取り出し若しくは他の容器への移し替えが容易で、且つ再封機能及び自立性を有する包装袋を提供することにある。【解決手段】少なくとも、基材層、シーラント層を有する積層材料からなり、容器本体部の一辺に自立性の底シール部を有し、底シール部の反対側に未シール辺を有し、両サイドにサイドシール部を有してなる袋の未シール辺の一方の隅にサイドシール部より外側に突出し、外周縁がシールされている凸状の注出部を設け、前記注出部の容器本体部側の最内面に、互いに嵌合可能な凹部及び凸部からなる直線状の再封治具をサイドシール部と平行に設け、さらに、前記再封治具と注出部先端との間の外周縁の所定位置に注出部を上下方向にカットして開口部を設ける為のカット開始部を設けたものからなる。【選択図】図１
2007112489.tif 000002
【特許請求の範囲】
【請求項１】
少なくとも、基材層、シーラント層を有する積層材料からなり、容器本体部の一辺に自立性の底シール部を有し、底シール部の反対側に未シール辺を有し、両サイドにサイドシール部を有してなる袋の未シール辺の一方の隅にサイドシール部より外側に突出し、外周縁がシールされている凸状の注出部を設け、前記注出部の容器本体部側の最内面に、互いに嵌合可能な凹部及び凸部からなる直線状の再封治具をサイドシール部と平行に設け、さらに、前記再封治具と注出部先端との間の外周縁の所定位置に注出部を上下方向にカットして開口部を設ける為のカット開始部を設けたものからなることを特徴とする再封機能付き自立性包装袋。
【発明の詳細な説明】
【技術分野】
【０００１】
本発明は、食品や非食品等の内容物を包装した包装体を開封後に、再度封止できる機能を有する自立性包装袋に関するものである。
【背景技術】
【０００２】
食品や非食品などの内容物を各種形態の包装袋に包装後、使用する際に一度開封して内容物を取り出した後に残った内容物を引き続き保存する場合、開封後に先端部分をねじって輪ゴムや針金などで止めて再封する方法が一般的に実施されているが、操作が非常に面倒であるなどの問題があり、これらの問題を改善する為に、袋の開口部側の内面に互いに嵌合可能な凹部及び凸部からなるジッパーを設けた包装袋が提案されている（例えば、特許文献１参照。）。
【特許文献１】特開２０００−２６４９５０号公報
【発明の開示】
【発明が解決しようとする課題】
【０００３】
しかしながら、前記提案されているジッパー付き包装袋は、包装袋の上側の全幅にジッパーが設けられ、そのジッパーに近接する上側部分を全幅でカットして開口部を設け、その開口部から内容物を取り出すようになっており、開口部が袋の幅全体の大きさであることに起因して、内容物の取り出し時にこぼれ易くなったり、内容物の他の容器への移し替えが難しかったりする不都合があり、あるいは、小袋入りの脱酸素剤や乾燥剤を内容物と一緒に充填、密封した場合などは内容物を取り出す時に小袋入りの脱酸素剤や乾燥剤が一緒に外に出てしまい、それらを誤食してしまう等の問題を抱えていた。
【０００４】
本発明の課題は、充填した内容物の取り出し若しくは他の容器への移し替えが容易で、且つ再封機能及び自立性を有する包装袋を提供することにある。
【課題を解決するための手段】
【０００５】
本発明の請求項１に係る発明は、少なくとも、基材層、シーラント層を有する積層材料からなり、容器本体部の一辺に自立性の底シール部を有し、底シール部の反対側に未シール辺を有し、両サイドにサイドシール部を有してなる袋の未シール辺の一方の隅にサイドシール部より外側に突出し、外周縁がシールされている凸状の注出部を設け、前記注出部の容器本体部側の最内面に、互いに嵌合可能な凹部及び凸部からなる直線状の再封治具をサイドシール部と平行に設け、さらに、前記再封治具と注出部先端との間の外周縁の所定位置に注出部を上下方向にカットして開口部を設ける為のカット開始部を設けたものからなることを特徴とする再封機能付き自立性包装袋である。
【発明の効果】
【０００６】
本発明の再封機能付き自立性包装袋は、少なくとも、基材層、シーラント層を有する積層材料からなり、容器本体部の一辺に自立性の底シール部を有し、底シール部の反対側に未シール辺を有し、両サイドにサイドシール部を有してなる袋の未シール辺の一方の隅にサイドシール部より外側に突出し、外周縁がシールされている凸状の注出部を設け、前記注出部の容器本体部側の最内面に、互いに嵌合可能な凹部及び凸部からなる直線状の再封治具をサイドシール部と平行に設け、さらに、前記再封治具と注出部先端との間の外周縁の所定位置に注出部を上下方向にカットして開口部を設ける為のカット開始部を設けたものからなっているので、未シール辺から内容物を充填、密封した包装体から内容物を取り出す時は、カット開始部から注出部を上下方向にカットして小さい開口部を設け、その開
口部から内容物を取り出したり、他の容器へ移し替えできるので、粒状の内容物の場合は適量を容易に取り出せ、又、脱酸素剤や乾燥剤が充填されている場合、それらを袋内に残した状態で内容物を取り出すことができ、それらを誤食してしまうことも無く、また、内容物を他の容器へ移し替える際も袋を少し傾けるだけで容易に実施できる。さらに、内容物を一部取り出した後は再封治具で良好に再密封もできる。
【発明を実施するための最良の形態】
【０００７】
本発明の再封機能付き自立性包装袋を実施の形態に沿って以下に説明する。図２（ａ）は本発明の再封機能付き自立性包装袋に使用する積層材料の一実施形態を示す側断面図であり、積層材料（２０）は、厚み方向に順に、基材層（２１）、接着剤層（２４）、中間層（２２）、接着剤層（２５）、シーラント層（２３）が積層された構成であり、（ｂ）は積層材料の他の実施形態を示す側断面図であり、積層材料（２０′）は、厚み方向に順に、基材層（２１）、接着剤層（２４）、シーラント層（２３）が積層された構成である。
【０００８】
前記基材層（２１）には、二軸延伸ポリプロピレンフイルム、二軸延伸ポリエステルフィルム、二軸延伸ナイロンフィルム、防湿セロファン、酸化珪素や酸化アルミニウムなどの無機酸化物の蒸着薄膜層をフィルムに積層したガスバリアフィルム、紙などを使用する。厚みは適宜選定する。
【０００９】
前記中間層（２２）は主にガスバリア性を付与したり、積層材料の各種機械的強度を向上させるために設けるもので、特に限定されないが、単層若しくは多層のフィルムからなっている。単層フィルムとしては無延伸ナイロンフィルム、アルミニウム箔、エチレン・ビニルアルコール共重合体フィルム、塩化ビニリデンフイルム、アクリルニトリルフィルム、塩化ビニリデン樹脂コートセロファン等が使用され、多層フィルムとしては、前記単層フィルムを組み合わせて積層した積層フィルム、アルミニウム蒸着ポリエステルフィルム、アルミニウム蒸着ポリプロピレンフィルム、無機酸化物蒸着ポリエステルフィルムなどが使用される。積層方法は公知のドライラミネーション法等で積層する。
【００１０】
前記シーラント層（２３）は、ポリオレフィン系樹脂若しくはポリオレフィン系樹脂フィルムからなっており、樹脂としては、例えば、低密度ポリエチレン樹脂、中密度ポリエチレン樹脂、直鎖状低密度ポリエチレン樹脂、エチレン／酢酸ビニル共重合体樹脂などのエチレン系樹脂や、ホモポリプロピレン樹脂、プロピレン−エチレンランダム共重合体、プロピレン−エチレンブロック共重合体、ポリプロピレン−α−オレフィン共重合体などのプロピレン系樹脂などが使用でき、積層方法は公知の溶融押出法あるいはドライラミネーション法で積層する。
【００１１】
前記接着剤層（２４、２５）には、一般的にポリウレタン系接着剤を使用する。通常、水酸基を持った主剤とイソシアネート基を持った硬化剤とを２液混合して使用する２液型が使用される。その積層方法は公知のグラビアコート方式で積層する。塗布量は１〜５ｇ／ｍ2（乾燥状態）が良い。
【００１２】
図１（ａ）は本発明の再封機能付き自立性包装袋の一実施形態を示す平面図であり、（ｂ）は（ａ）のＡ−Ａ′線断面図であり、（ｃ）は（ａ）のＢ−Ｂ′線断面図である。再封機能付き自立性包装袋（１）は、前記積層材料（２０）からなっており、容器本体部（２）の一辺に自立性を有する底シール部（４）が設けられ、底シール部（４）の反対側に内容物を充填する為の未シール辺（３）が設けられ、前記未シール辺（３）の一方の隅にサイドシール部（６）より外側に突出し、外周縁にシール部（７）を有する凸状の注出部（１０）が設けられ、前記注出部（１０）の容器本体部（２）側の最内面に再封する為の直線状の再封治具（９）が熱融着されて設けられており、さらに、再封治具（９）と注出
部（１０）先端との間の外周縁に注出部（１０）を上下方向にカットして開口部を設ける為のカット開始部（８）が設けられている。前記カット開始部（８）は注出部（１０）の下側の外周縁に設けられていても良いし、両方に設けられていても良い。
【００１３】
前記再封治具（９）は図１（ｂ）に図示するように、互いに嵌合可能な凹部（９ａ）及び凸部（９ｂ）からなっており、凹部（９ａ）及び凸部（９ｂ）はそれぞれ積層材料のシーラント層（２３）に熱融着されている。
【００１４】
前記凹部（９ａ）及び凸部（９ｂ）からなる再封治具（９）は、積層材料のシーラント層と接着しやすいものであれば良く、例えば、ポリエチレン樹脂やポリプロピレン樹脂からなるジッパーが一般的に使用される。
【００１５】
前記底シール部（４）は、図１（ｃ）に図示するように、底部に使用する積層材料を２つ折りし、その２つ折りした積層材料を側壁部に使用する他の積層材料で両側からシーラント層（２３）同士が接するようにして挟んでシールした形態になっており、自立性を有している。
【００１６】
前記カット開始部（８）の形状は、カットし易い形状であれば良く、Ｖ字状の切り込みや直線状の切り込みが良く使用される。
【００１７】
本発明の再封機能付き自立性包装袋の特徴とするところは、サイドシール部より外側に突出した凸状の注出部を有し、その注出部の外周縁には注出部を上下方向にカットする為のカット開始部が設けられているので、カット開始部から注出部を上下方向にカットすることにより袋の横側に小さい開口部が得られる。従って、以下に示す種々の利点を有している。例えば、内容物を取り出す際に内容物がこぼれ難く、他の容器へ内容物を移し替える時も袋を少し傾けるだけで容易に移し替えでき、小袋入りの脱酸素剤や乾燥剤が充填されている場合でも内容物を取り出す時に同時に外に出てしまうことがなく、誤食してしまうことが無い。また、注出部に互いに嵌合可能な凹部及び凸部からなる再封治具が設けられているので、内容物を一部取り出した後も良好な再密封が可能になる。さらに、底シール部は自立性を有しているので、内容物を充填、密封した包装体は保管し易く、陳列効果も良い。
【００１８】
本発明の再封機能付き自立性包装袋を具体的な実施例をもとに、以下に説明する。
【実施例１】
【００１９】
基材層（２１）として、厚さ１２μｍのニ軸延伸ポリエステルフィルム（ＰＥＴフィルム）を使用し、中間層（２２）として、厚さ７μｍのアルミニウム箔を使用し、シーラント層（２３）として、厚さ５０μｍの無延伸ポリプロピレンフィルム（ＣＰＰフィルム）を使用し、接着剤層（２４、２５）の接着剤として、ポリウレタン系接着剤を使用して、ＰＥＴフィルム（１２μｍ）／ポリウレタン系接着剤（乾燥状態、５ｇ／ｍ2）／アルミニウム箔（７μｍ）／ポリウレタン系接着剤（乾燥状態、５ｇ／ｍ2）／ＣＰＰフィルム（５０μｍ）の積層構成の積層材料を作成し、その積層材料を用いて、有効内寸法が縦２００ｍｍ×横１２０ｍｍで、自立性の底シール部と両側にサイドシール部を有し、残りの辺に未シール辺を有する袋の未シール辺の一方の隅に有効内寸が縦３０ｍｍ×横２０ｍｍの大きさで、サイドシール部の外側に突出した凸状の注出部を設け、注出部の最内面にポリプロピレン樹脂からなる長さ３５ｍｍのジーパーを熱融着し、注出部の上側外周縁のジーパーより先端側の位置にＶ字状切り込みからなるカット開始部を設けて、本発明の再封機能付き自立性包装袋を作成した。
【００２０】
〈評価〉
実施例１の本発明の再封機能付き自立性包装袋を用いて、未シール辺から内容物として２５０ｇのふりかけを充填し、同時に小袋入りの乾燥剤を封入し、密封した包装体を作成した。その包装体の注出部をカット開始部から上下方向にカットして開口部を設け、その開口部からのふりかけの取り出し性の良否及び一部を取り出した後の再密封性の良否を評価した。その結果を表１に示す。
【００２１】
【表１】
2007112489.tif 000003
表１に示すように、実施例１の本発明の再封機能付き自立性包装袋を使用した内容物入りの包装体は、内容物の取り出し性が良好で、一部を取り出した後の再密封性も良好であった。
【図面の簡単な説明】
【００２２】
【図１】（ａ）は本発明の再封機能付き自立性包装袋の一実施形態を示す平面図であり、（ｂ）は（ａ）のＡ−Ａ´線断面図であり、（ｃ）は（ａ）のＢ−Ｂ´線断面図である。
【図２】（ａ）は本発明の再封機能付き自立性包装袋に使用する積層材料の一実施形態を示す側断面図であり、（ｂ）は積層材料の他の実施形態を示す側断面図である。
【符号の説明】
【００２３】
１…自立性包装袋
２…容器本体部
３…未シール辺
４…底シール部
５，６…サイドシール部
７…シール部
８…カット開始部
９…再封治具
９ａ…凹部
９ｂ…凸部
１０…注出部
２０，２０′…積層材料
２１…基材層
２２…中間層
２３…シーラント層
２４，２５…接着剤層
【図１】
2007112489.tif 000004
【図２】
2007112489.tif 000005